(57)【特許請求の範囲】
【請求項１】
階層状に作成された複数のフォルダに保存された楽曲データを記録している記録媒体から、各フォルダの作成日時を示す記録情報を取得する情報取得手段と、前記情報取得手段が取得した記録情報から、前記複数のフォルダの中で最も作成日時が新しいフォルダを検出するフォルダ検出手段と、
前記フォルダ検出手段が検出したフォルダに保存されている楽曲データから順番に再生する再生手段と、
から構成されることを特徴とするデータ再生装置。
【請求項２】
階層状に作成された複数のフォルダに保存された楽曲データを記録している記録媒体から、各楽曲データが記録された日時、及び、その楽曲データが保存されているフォルダを示す記録情報を取得する情報取得手段と、
前記情報取得手段が取得した記録情報から、前記楽曲データの中で最も記録日時が新しい楽曲データを検出するデータ検出手段と、
前記情報取得手段が取得した記録情報から、前記データ検出手段が検出した楽曲データが保存されているフォルダを検出するフォルダ検出手段と、
前記フォルダ検出手段が検出したフォルダに保存されている楽曲データから順番に再生する再生手段と、
から構成されることを特徴とするデータ再生装置。
【請求項３】
前記再生手段は、前記フォルダ検出手段が検出したフォルダに保存されている楽曲データの内、前記データ検出手段が検出した楽曲データから再生を開始する、ことを特徴とする請求項２に記載のデータ再生装置。
【請求項４】
階層状に作成された複数のフォルダに保存された楽曲データを記録している記録媒体から、各フォルダの作成日時を示す記録情報を取得する情報取得工程と、前記情報取得工程で取得した記録情報から、前記複数のフォルダの中で最も作成日時が新しいフォルダを検出するフォルダ検出工程と、
前記フォルダ検出工程で検出したフォルダに保存されている楽曲データから順番に再生する再生工程と、
を備えることを特徴とするデータ再生方法。
【請求項５】
階層状に作成された複数のフォルダに保存された楽曲データを記録している記録媒体から、各楽曲データが記録された日時、及び、その楽曲データが保存されているフォルダを示す記録情報を取得する情報取得工程と、
前記情報取得工程で取得した記録情報から、前記楽曲データの中で最も記録日時が新しい楽曲データを検出するデータ検出工程と、
前記情報取得工程で取得した記録情報から、前記データ検出工程で検出した楽曲データが保存されているフォルダを検出するフォルダ検出工程と、
前記フォルダ検出工程で検出したフォルダに保存されている楽曲データから順番に再生する再生工程と、
を備えることを特徴とするデータ再生方法。
【請求項６】
コンピュータに、
階層状に作成された複数のフォルダに保存された楽曲データを記録している記録媒体から、各フォルダの作成日時を示す記録情報を取得する情報取得工程と、前記情報取得工程で取得した記録情報から、前記複数のフォルダの中で最も作成日時が新しいフォルダを検出するフォルダ検出工程と、
前記フォルダ検出工程で検出したフォルダに保存されている楽曲データから順番に再生する再生工程と、
を備えることを特徴とするデータ再生方法を実行させるためのプログラム。
【請求項７】
コンピュータに、
階層状に作成された複数のフォルダに保存された楽曲データを記録している記録媒体から、各楽曲データが記録された日時、及び、その楽曲データが保存されているフォルダを示す記録情報を取得する情報取得工程と、
前記情報取得工程で取得した記録情報から、前記楽曲データの中で最も記録日時が新しい楽曲データを検出するデータ検出工程と、
前記情報取得工程で取得した記録情報から、前記データ検出工程で検出した楽曲データが保存されているフォルダを検出するフォルダ検出工程と、
前記フォルダ検出工程で検出したフォルダに保存されている楽曲データから順番に再生する再生工程と、
を備えることを特徴とするデータ再生方法を実行させるためのプログラム。
【発明の詳細な説明】
【０００１】
【発明の属する技術分野】
本発明は、データ再生装置及びデータ再生方法に関する。また、本発明は、コンピュータにデータを再生させるためのプログラムに関する。
【０００２】
【従来の技術】
ＭＰ３（MPEG-1 Audio Layer 3）等の音声圧縮技術により約１／１０に圧縮された楽曲データを再生できるデータ再生装置がある。
【０００３】
ＭＰ３形式の楽曲データは、コンピュータ等を使用して、例えば、ＭＰ３形式の楽曲データを配信しているサイトからインターネットを介してダウンロードしたり、通常の音楽ＣＤに記録されている楽曲データを専用のエンコーダソフトを用いて圧縮することにより得られる。
【０００４】
また、以上のようにして得られたＭＰ３形式の楽曲データを、コンピュータ等により、ＣＤ−Ｒ（Compact Disc Recordable ）等の記録媒体に記録することができる。この際、楽曲データは、例えばＩＳＯ９６６０により規定されるフォーマットに従って階層状に作成されたフォルダに保存される。
【０００５】
【発明が解決しようとする課題】
上記したように、ＭＰ３等の音声圧縮技術を用いると、楽曲データを約１／１０にまで圧縮することができる。このため、１枚の記録媒体に多数の楽曲データを記録することができる。
【０００６】
しかし、楽曲データの数が多いため、利用者が聞きたい（例えば一番最近関心を持った）楽曲データやその楽曲データが保存されているフォルダを探すのが大変であった。特に、オーディオ装置のように操作ボタンの数やディスプレイの表示領域に制限のあるデータ再生装置では、再生時の操作が非常に煩雑になってしまうという問題がある。
【０００７】
従って、本発明は、操作が簡単なデータ再生装置を提供することを目的とする。また、本発明は、操作を簡単にするためのデータ再生方法及びプログラムを提供することを目的とする。
【０００８】
【課題を解決するための手段】
上記目的を達成するために、本発明の第１の観点にかかるデータ再生装置は、階層状に作成された複数のフォルダに保存された楽曲データを記録している記録媒体から、各フォルダの作成日時を示す記録情報を取得する情報取得手段と、前記情報取得手段が取得した記録情報から、前記複数のフォルダの中で最も作成日時が新しいフォルダを検出するフォルダ検出手段と、前記フォルダ検出手段が検出したフォルダに保存されている楽曲データから順番に再生する再生手段と、から構成されることを特徴とする。
この発明によれば、簡単な操作で一番新しいフォルダに保存されている楽曲データから再生を開始させることができる。
【０００９】
本発明の第２の観点にかかるデータ再生装置は、階層状に作成された複数のフォルダに保存された楽曲データを記録している記録媒体から、各楽曲データが記録された日時、及び、その楽曲データが保存されているフォルダを示す記録情報を取得する情報取得手段と、前記情報取得手段が取得した記録情報から、前記楽曲データの中で最も記録日時が新しい楽曲データを検出するデータ検出手段と、前記情報取得手段が取得した記録情報から、前記データ検出手段が検出した楽曲データが保存されているフォルダを検出するフォルダ検出手段と、前記フォルダ検出手段が検出したフォルダに保存されている楽曲データから順番に再生する再生手段と、から構成されることを特徴とする。
この発明によれば、簡単な操作で一番新しい楽曲データが保存されているフォルダの楽曲データから再生を開始させることができる。
【００１０】
前記再生手段は、前記フォルダ検出手段が検出したフォルダに保存されている楽曲データの内、前記データ検出手段が検出した楽曲データから再生を開始してもよい。
【００１１】
本発明の第３の観点にかかるデータ再生方法は、階層状に作成された複数のフォルダに保存された楽曲データを記録している記録媒体から、各フォルダの作成日時を示す記録情報を取得する情報取得工程と、前記情報取得工程で取得した記録情報から、前記複数のフォルダの中で最も作成日時が新しいフォルダを検出するフォルダ検出工程と、前記フォルダ検出工程で検出したフォルダに保存されている楽曲データから順番に再生する再生工程と、を備えることを特徴とする。
【００１２】
本発明の第４の観点にかかるデータ再生方法は、階層状に作成された複数のフォルダに保存された楽曲データを記録している記録媒体から、各楽曲データが記録された日時、及び、その楽曲データが保存されているフォルダを示す記録情報を取得する情報取得工程と、前記情報取得工程で取得した記録情報から、前記楽曲データの中で最も記録日時が新しい楽曲データを検出するデータ検出工程と、前記情報取得工程で取得した記録情報から、前記データ検出工程で検出した楽曲データが保存されているフォルダを検出するフォルダ検出工程と、前記フォルダ検出工程で検出したフォルダに保存されている楽曲データから順番に再生する再生工程と、を備えることを特徴とする。
【００１３】
本発明の第５の観点にかかるプログラムは、コンピュータに、階層状に作成された複数のフォルダに保存された楽曲データを記録している記録媒体から、各フォルダの作成日時を示す記録情報を取得する情報取得工程と、前記情報取得工程で取得した記録情報から、前記複数のフォルダの中で最も作成日時が新しいフォルダを検出するフォルダ検出工程と、前記フォルダ検出工程で検出したフォルダに保存されている楽曲データから順番に再生する再生工程と、を備えることを特徴とするデータ再生方法を実行させる。
【００１４】
本発明の第６の観点にかかるプログラムは、コンピュータに、階層状に作成された複数のフォルダに保存された楽曲データを記録している記録媒体から、各楽曲データが記録された日時、及び、その楽曲データが保存されているフォルダを示す記録情報を取得する情報取得工程と、前記情報取得工程で取得した記録情報から、前記楽曲データの中で最も記録日時が新しい楽曲データを検出するデータ検出工程と、前記情報取得工程で取得した記録情報から、前記データ検出工程で検出した楽曲データが保存されているフォルダを検出するフォルダ検出工程と、前記フォルダ検出工程で検出したフォルダに保存されている楽曲データから順番に再生する再生工程と、を備えることを特徴とするデータ再生方法を実行させる。
【００１５】
【発明の実施の形態】
次に、本発明の第１の実施の形態にかかるオーディオ装置について図面を参照して説明する。
【００１６】
第１の実施の形態にかかるオーディオ装置は、図１に示すように、再生部１と、記憶部２と、表示部３と、操作部４と、制御部５と、から構成され、ディスク１０に記録された楽曲データを再生する。
【００１７】
ディスク１０は、例えばデータの追記が可能なＣＤ−Ｒ（Compact Disc Recordable ）である。ディスク１０に記録される楽曲データは、例えばＭＰ３（MPEG-1 Audio Layer 3）形式で約１／１０に圧縮され、例えばＩＳＯ９６６０で規定されるフォーマットで記録されて管理されている。
【００１８】
具体的には、楽曲データ（音楽ファイル）は、図２に示すような階層構造によって管理される。例えば、アーチストやアルバム（音楽ＣＤ）毎のフォルダが階層状に作成され、そのそれぞれに該当する楽曲データが保存される。
【００１９】
再生部１は、ディスク１０を所定速度で回転させるスピンドルモータ、所定波長のレーザ光をディスク１０に照射してデータを読み出す光ピックアップ、光ピックアップをディスク１０の径方向に移動させるスレッドモータ、及び、ＤＳＰ（Digital Signal Processor）等から構成されている。再生部１は、所定位置にセットされたディスク１０から、記録されている各フォルダ及び各音楽ファイルの名前、作成日時、及び、アドレス等を示す記録情報（Volume Descriptor ）を再生し、制御部５に出力する。また、再生部１は、ディスク１０に記録されている圧縮された楽曲データを再生して伸張し、アナログの音声信号に変換して所定のアンプやスピーカ等を介して出力する。
【００２０】
記憶部２は、ＲＯＭ（Read Only Memory）及びＲＡＭ（Random Access Memory）等から構成され、オーディオ装置を動作させるための動作プログラム及びデータを記憶している。また、記憶部２は、再生部１が再生した記録情報を記憶する。
【００２１】
表示部３は、液晶ディスプレイ又はＥＬ（エレクトロルミネッセンス）ディスプレイ等から構成され、所定の文字列やマーク等によりオーディオ装置の動作状況等を表示する。
【００２２】
操作部４は、複数の操作ボタンやタッチパネル等から構成され、オーディオ装置の利用者により操作される。そして、操作部４は、利用者の操作に従って、オーディオ装置を動作させるための様々な信号を制御部５に出力する。
【００２３】
制御部５は、記憶部２が記憶している動作プログラムに従って、オーディオ装置を構成する上記各部の動作を制御し、ディスク１０に記録されている所定の楽曲データを再生する。なお、制御部５の詳しい動作については後述する。
【００２４】
次に、以上のように構成されるオーディオ装置の動作について説明する。
始めに、オーディオ装置の利用者が、再生対象の楽曲データを記録したディスク１０を再生部１にセットする。
【００２５】
利用者によってディスク１０がセットされると、再生部１は、ディスク１０に記録されているＴＯＣ（Table Of Contents ）情報を再生した後、ディスク１０に記録されている上記記録情報を再生して制御部５に出力する。
【００２６】
制御部５は、再生部１が再生するＴＯＣ情報を読み込んだ後、再生部１から供給される上記記録情報を記憶部２に記憶させる。
その後、制御部５は、記憶部２が記憶している動作プログラムに従って図３に示す再生開始フォルダ設定処理を行う。
【００２７】
始めに、制御部５は、記憶部２に記憶させた記録情報が示す各フォルダの作成日時を検索し、最新の日時、即ち、一番最後に作成されたフォルダ（最新フォルダ）を検出する（ステップＳ１０１）。
【００２８】
そして、制御部５は、検出した最新フォルダを、始めに再生するフォルダ（再生開始フォルダ）として設定し（ステップＳ１０２）、再生開始フォルダ設定処理を終了する。
【００２９】
上記再生開始フォルダ設定処理が終了した後、オーディオ装置の利用者は、楽曲を再生させるために、操作部４が備える所定の操作ボタン（再生ボタン）を押下する。これにより、操作部４は、楽曲データの再生を指示する再生信号を制御部５に出力する。
【００３０】
制御部５は、操作部４から供給される再生信号に応答し、記憶部２の動作プログラムに従って、図４に示すデータ再生処理を開始する。
始めに、制御部５は、再生部１を制御し、上記再生開始フォルダ設定処理で設定した再生開始フォルダに保存されている楽曲データを再生する（ステップＳ２０１）。
【００３１】
具体的には、制御部５は、上記再生開始フォルダに保存されている楽曲データのアドレスを記憶部２の記録情報から取得し、再生部１を制御して再生を行う。この際、楽曲データを、ファイルの作成日時が新しい順又はファイル名のアルファベット順に再生してもよい。
【００３２】
その後、制御部５は、ディスク１０に記録されている全ての楽曲データを再生したか否かを判別する（ステップＳ２０２）。
全楽曲データを再生したと判別した場合（ステップＳ２０２；ＹＥＳ）、制御部５は、データ再生処理を終了する。
【００３３】
一方、全楽曲データを再生していないと判別した場合（ステップＳ２０２；ＮＯ）、制御部５は、記憶部２の記録情報を検索し、次に作成日時が新しいフォルダを検出する（ステップＳ２０３）。
【００３４】
そして、制御部５は、上記と同様にして、ステップＳ２０３で検出したフォルダに保存されている楽曲データを再生し（ステップＳ２０４）、ステップＳ２０２にリターンする。
そして、制御部５は、ステップＳ２０２の処理で全楽曲データを再生したと判別した場合にデータ再生処理を終了する。
【００３５】
なお、楽曲の再生を途中で停止する場合、利用者は操作部４が備える所定の操作ボタン（停止ボタン）を押下する。これにより、楽曲データの再生停止を指示する停止信号が操作部４から制御部５に供給される。制御部５は、上記データ再生処理の途中で操作部４から停止信号を供給された場合、再生部１の動作を停止させ、データ再生処理を終了する。
【００３６】
以上のように、作成日時が最も新しいフォルダに保存されている音楽ファイル（楽曲データ）、即ち、利用者が一番最近関心を持った楽曲から再生を開始することができる。これにより、利用者は、ディスク１０に記録された多数の楽曲データの中から、一番最近関心を持った楽曲データを煩雑な操作を行うことなく簡単に再生させることができる。
【００３７】
次に、本発明の第２の実施の形態にかかるオーディオ装置について図面を参照して説明する。
第２の実施の形態にかかるオーディオ装置の構成は、第１の実施の形態と実質的に同一である。但し、第２の実施の形態にかかるオーディオ装置が行う動作は、第１の実施の形態とは異なる。
【００３８】
以下に、第２の実施の形態にかかるオーディオ装置が行う動作について説明する。
始めに、オーディオ装置の利用者が、第１の実施の形態と同様に、再生対象の楽曲データを記録したディスク１０を再生部１にセットする。
【００３９】
利用者によってディスク１０がセットされると、再生部１は、ディスク１０に記録されているＴＯＣ（Table Of Contents ）情報を再生した後、ディスク１０に記録されている上記記録情報を再生して制御部５に出力する。
【００４０】
制御部５は、再生部１が再生するＴＯＣ情報を読み込んだ後、再生部１から供給される上記記録情報を記憶部２に記憶させる。
その後、制御部５は、記憶部２が記憶している動作プログラムに従って図５に示す再生開始フォルダ設定処理を行う。
【００４１】
始めに、制御部５は、記憶部２に記憶させた記録情報が示す各音楽ファイルの作成日時（各楽曲データの記録日時）を検索し、一番最後に作成された音楽ファイル（最新ファイル）を検出する（ステップＳ３０１）。
【００４２】
そして、制御部５は、上記最新ファイルが保存されているフォルダを記憶部２の記録情報から検出し、検出したフォルダを再生開始フォルダとして設定し（ステップＳ３０２）、再生開始フォルダ設定処理を終了する。
【００４３】
上記再生開始フォルダ設定処理が終了した後、第１の実施の形態と同様に、オーディオ装置の利用者が楽曲を再生するために操作部４の再生ボタンを押下すると、楽曲データの再生を指示する再生信号が、操作部４から制御部５に供給される。
【００４４】
制御部５は、操作部４から供給される再生信号に応答し、記憶部２の動作プログラムに従って、第１の実施の形態と同様のデータ再生処理を行い、ディスク１０に記録されている楽曲データを再生する。
【００４５】
以上のように、一番新しい楽曲データが保存されているフォルダが再生開始フォルダとして設定される。即ち、利用者が一番最近関心を持った楽曲から再生が開始される。これにより、利用者は、ディスク１０に記録された多数の楽曲データの中から、一番最近関心を持った楽曲データを煩雑な操作を行うことなく簡単に再生させることができる。
【００４６】
なお、第２の実施の形態において、再生開始フォルダに保存されている楽曲データの内、一番新しい楽曲データ（最新ファイル）から再生を開始してもよい。またこの際、最新ファイルから、ファイルの作成日時順又はファイル名のアルファベット順で再生を行ってもよい。
【００４７】
また、以上では、本発明をＣＤ−Ｒを再生するオーディオ装置に適用した例を示した。しかし、本発明は、階層構造によってファイルが保存され、各フォルダ及びファイルの作成日時を示す情報を有する記録媒体の再生装置であれば何にでも適用することができる。
【００４８】
また、本発明の装置は、専用の装置を用いる必要はなく、通常のコンピュータにより実現することができる。例えば、コンピュータに上記した各処理を実行させるためのプログラム及びデータを記録媒体（ＦＤ、ＣＤ−ＲＯＭ、ＤＶＤ等）に記録して配布し、これをインストールしてＯＳ上で実行することにより、この発明の装置を実現できる。また、上記プログラム及びデータは、インターネット上のサーバ装置が有するディスク装置等に格納しておき、コンピュータに、例えば搬送波に重畳してダウンロード等するものとしてもよい。
【００４９】
【発明の効果】
以上の説明から明らかなように、本発明によって、簡単な操作で、一番新しいフォルダ、又は、一番新しい楽曲データが保存されているフォルダに保存されている楽曲データから再生を開始させることができる。
【図面の簡単な説明】
【図１】第１の実施の形態にかかるオーディオ装置の構成図である。
【図２】図１のオーディオ装置が再生する記録媒体に記録されるデータ構造を示す図である。
【図３】図１のオーディオ装置を構成する制御部が行う再生開始フォルダ設定処理を示すフローチャートである。
【図４】図１のオーディオ装置を構成する制御部が行うデータ再生処理を示すフローチャートである。
【図５】第２の実施の形態にかかるオーディオ装置を構成する制御部が行う再生開始フォルダ設定処理を示すフローチャートである。
【符号の説明】
１    再生部
２    記憶部
３    表示部
４    操作部
５    制御部
１０  ディスク
【図１】
0003682235.tif 000002
【図２】
0003682235.tif 000003
【図３】
0003682235.tif 000004
【図４】
0003682235.tif 000005
【図５】
0003682235.tif 000006